(57)【要約】［課題］　軽量で瞬時に持ち運びができ、退避時間程度の短時間の空気供給が可能な救命用空気袋を堤供する。［解決手段］　中空袋体１に筒状吸気口２を気密に取り付けている。筒状吸気口２の外端には外側方に突出するフランジ部３が形成されている。筒状吸気口２には開閉蓋４を備えている。中空袋体には、掛止部７を備えた腕挿入部６を設けている。【選択図】　　　　図１
2004089667.tif 000002
【特許請求の範囲】
【請求項１】
気密性、可撓性及び耐熱性材料よりなる密閉状中空袋体に、該袋体内に空気を封入し或は封入空気を吸気するための開閉手段を備えた筒状吸気口をこの袋体内に開口連通して設け、使用時に歯茎内側に掛止して前記筒状吸気口が口腔内より脱落することを防止するために前記吸気口外端にはフランジ部を設け、前記中空袋体の外側には腕挿入部を設けたことを特徴とする救命用空気袋。
【請求項２】
上記密閉中空袋体の外側には、防火性部材よりなるカバーを着脱自在に設けてなることを特徴とする請求項１記載の救命用空気袋。
【請求項３】
携帯用の救命用空気袋であって、気密性、可撓性及び耐熱性材料よりなる密閉状中空袋体に開口を形成し、この開口には内側面にクッション材を設けると共に使用者の鼻及び口を挿入可能な内径を有する口体を取り付け、前記口体には使用者の頭部に巻着し前記口体を使用者の顔面に密着して装着可能な装着用ベルトを設けたことを特徴とする救命用空気袋。
【発明の詳細な説明】
【０００１】
【発明の属する技術分野】
本発明は、ビル火災やトンネル内火災等の災害の際の退避時に呼吸のための空気を供給し、また、水難時には空気供給及び浮具としても使用することの可能な多目的救命用空気袋に関する。
【０００２】
【従来の技術】
従来、この種の救命用空気袋としては、一部を袋状に形成した毛布の袋部に空気導入装置及び吸気口を有する無通気性の袋を収納し、平常時には、寝具用毛布として、火災の際の退避時には空気供給源として使用するもの（例えば、特開昭５５−１４８５１７号公報参照）や、内部が密封された中空袋を左右に２分する中間部分に在右何れか一方の片側部分が他方の片側部分の内部へ押し込まれた二重構造となっており、バケツ、敷物、枕等の多目的レジャー用品として使用するもの（例えば、特開平１０−３３２３２号公報参照）が提案されている。
【０００３】
【発明が解決しようとする課題】
上記従来技術のうち特開昭５５−１４８５１７号公報記載の発明は、退避の際に毛布と共に背中にかけて行動しなければならず、行動が制限され迅速な退避行動をとることができないという問題点があった。
又、特開平１０−３３２３２号公報記載の発明は、１つの製品を多様な形状に形成可能であるためキャンプ等のレジャー用としては好適であるが、災害時の退避用としては予め空気が封入されていないため不適であるという問題点があった。
そこで、本発明は軽量で瞬時に持ち運びができ、退避時間程度の短時間の空気供給が可能な救命用空気袋を提供することを目的とする。
【０００４】
【課題を解決するための手段】
上記目的を達成するために本願発明のうち請求項１記載の発明は、気密性、可撓性及び耐熱性材料よりなる密閉状中空袋体に、該袋体内に空気を封入し或は封入空気を吸気するための開閉手段を備えた筒状吸気口をこの袋体内に開口連通して設け、使用時に歯茎内側に掛止して前記筒状吸気口が口腔内より脱落することを防止するために前記吸気口外端にはフランジ部を設け、前記中空袋体の外側には腕挿入部を設けたことを特徴とする。
請求項２記載の発明は、上記密閉中空袋体の外側に防火性部材よりなるカバーを着脱自在に設けてなることを特徴とする。
請求項３記載の発明は、携帯用の救命用空気袋であって、気密性、可撓性及び耐熱性材料よりなる密閉状中空袋体に開口を形成し、この開口には内側面にクッション材を設けると共に使用者の鼻及び口を挿入可能な内径を有する口体を取り付け、前記口体には使用者の頭部に巻着し前記口体を使用者の顔面に密着して装着可能な装着用ベルトを設けたことを特徴とする。
【０００５】
【発明の実施の形態】
以下、図を参照にして本発明の実施の形態について説明する。
図１は内部の空気を抜きカバーを除去した救命用空気袋の一部省略説明図、図２は救命用空気袋の斜視図、図３は室内等に吊設した状態を示す説明図である。これらの図において、中空袋体１は気密性、可撓性及び耐熱性材料よりなる薄片を密閉袋状に形成してなる。具体例として、図１に示す中空袋体１は厚さ０．８〜１．０ｍｍのポリエチレン等の合成樹脂製薄片を重合し、後述する筒状吸気口２の取付位置を除いて全周縁を気密にシールして形成されている。合成樹脂製薄片は、容量が３．５ｌのものは１辺が１５ｃｍ程度、４．２ｌのものは１辺が２１ｃｍ程度、５．６ｌのものは１辺が２５ｃｍ程度の正方形のものを用いている。中空袋体１は内部に空気を封入可能であれば形状は問わず、例えば空気を充填すると球状になるものに関しては気密性薄片を容量が２．６ｌのものは直径が１８ｃｍ程度、６．３ｌのものは直径が２０ｃｍ程度の中空球状に形成する。
筒状吸気口２は内端を中空袋体１内に開口連通するように取り付けられている。筒状吸気口２の筒状部外周面には凹凸が形成され、外端には外側方に突出するフランジ部３が形成されている。筒状吸気口２の筒状部は使用者の性別や年齢により異なるが、成人用としては外径が３〜４ｃｍであることが好ましい。４は開閉蓋であって、筒状吸気口２を気密に閉塞可能に形成されている。中空袋体１の外面のうち筒状吸気口２と対向する位置には、使用者５の腕を挿入可能な環状の腕挿入部６を設けている。腕挿入部６には、例えば環状組体よりなる掛止部７を設けている。中空袋体１の外側は断熱性布等よりなるカバー８で包被されている。
【０００６】
そして、図３に示すように普段は内部に空気を封入してホテルの客室や船室等の室内に吊下げて装飾品として用い、図４に示すように火災の際の退避時には腕挿入部６に手を通し、筒状吸気口２を口腔内に挿入して使用し安全な方向に速やかに退避するものである。又、船舶の火災や沈没等の際の退避時には、閉蓋し中空袋体１内に空気を封入した状態で腕挿入部６に二の腕を挿通させて浮きとして用いるものである。
本実施の形態の救命用空気袋は、常時空気を封入しているので瞬時に持ち出すことができ、短時間（１０〜１５分）の退避時間の空気供給源として迅速且つ手軽に使用できるという効果がある。又、３分間で最低８８ｍの距離を移動可能な人が約２０分間、本実施の形態の救命用空気袋のみで空気の確保ができた。
【０００７】
図５に示される実施の形態について説明する。中空袋体１に形成した開口には外周面に螺旋溝を刻説した接続口体９を設けている。１０は筒状吸気口であって、内側面に接続口体９と螺合可能な螺旋溝が刻設され、上端縁は外部に突出させたフランジ部を設けている。筒状吸気口１０の上端面にはプルタップ１１を形成し、プルタップ１１を開口すると中空袋体１の内側と連通するように形成されている。
使用方法について説明する。予め、中空袋体１内には空気が充填されている。使用時にはプルタップ１１を引き除いて開口を形成し、筒状吸気口１０をフランジ部３が歯茎内側に掛止するように銜える。使用後は筒状吸気口１０を接続口体９より取り外し、プルタップ１１で筒状吸気口１０の上面が閉塞された未使用の筒状吸気口１０を接続口体９に螺合し、次回の災害時に備えておくものである。
【０００８】
図６〜図８を参照にして本発明の実施の形態について説明する。本発明の実施の形態における救命用空気袋は携帯用の救命用空気袋であって、例えば幼児、老人、病人、身体障害者等の如く口で空気を吸い吸った空気を鼻で出せない者が、吸気口を口に挿し込むことなく鼻及び口を口体１２内に配設させて使用するように構成したものである。つまり、中空袋体１に開口を形成し、この開口に使用者の鼻及び口を挿入配置可能な内径を有する口体１２を連設している。口体１２の内側面にはクッション材１３を設け、使用者の顔面と口体１２との間に隙間が形成されないようにしている。クッション材１３としてスポンジを用いることが考えられる。口体１２には、例えば平面形ファスナー等よりなる連結部１４を先端に具備する装着用ベルト１５を取り付けている。
そして、使用の際には、口体１２より空気が入るように口体１２方向へ半円状に振って中空袋体１内に空気を入れ、速やかに使用者の鼻及び口を口体１２内に配置させて連結部１４を連結し、図７に示すように装着用ベルト１５を頭部に取着する。図８に示すように不使用時は、中空袋体１より脱気して折り畳み、断熱性材料よりなる可撓性薄片を円筒形に形成し一端に紐１６を挿通した収納用袋体１７内に収納しておく。携帯用として家族の旅行の際等に持参することができ、手軽に持運びができるという効果がある。
【０００９】
【発明の効果】
本発明は、短時間の退避時に空気供給ができるという効果がある。
【図面の簡単な説明】
【図１】カバーを除去した救命用空気袋の一部省略説明図である。
【図２】救命用空気袋の斜視図である。
【図３】室内等に吊設した状態を示す説明図である。
【図４】使用状態を示す説明図である。
【図５】筒状吸気口の断面説明図である。
【図６】救命用空気袋の斜視図である。
【図７】使用状態を示す説明図である。
【図８】不使用時の状態を示す説明図である。
【符号の説明】
１　中空袋体
２、１０　筒状吸気口
３　フランジ部
４　開閉蓋
６　腕挿入部
８　カバー
１２　口体
１３　クッション材
【図１】
2004089667.tif 000003
【図２】
2004089667.tif 000004
【図３】
2004089667.tif 000005
【図４】
2004089667.tif 000006
【図５】
2004089667.tif 000007
【図６】
2004089667.tif 000008
【図７】
2004089667.tif 000009
【図８】
2004089667.tif 000010